(57)【要約】  装置本体（１０）とカセット（３０）とを有する血液浄化装置（１００）であって、カセット（３０）は、除水容器（３７）を収容するケーシング（３１）とポンプチューブ（４１）と、を含み、装置本体（１０）は、フィンガー（１５）と駆動部（１６）と筐体（１１）と、を含み、カセット（３０）は、複数のフィンガー（１５）とケーシング（３１）の外面との間にポンプチューブ（４１）が位置するように装置本体（１０）の筐体（１１）に着脱可能である。
2020045385.tif 000002
【特許請求の範囲】
【請求項１】
装置本体と、
前記装置本体に着脱自在に取り付けられるカセットと、を有する血液浄化装置であって、
前記カセットは、除水容器を収容するケーシングを有し、前記装置本体に着脱可能であること、
を特徴とする血液浄化装置。
【請求項２】
請求項１に記載の血液浄化装置であって、
前記装置本体には、前記除水容器の荷重を測定する荷重検出部が取り付けられ、
前記カセットに収容された前記除水容器の荷重を前記荷重検出部に伝達する荷重伝達機構を有すること、
を特徴とする血液浄化装置。
【請求項３】
請求項２に記載の血液浄化装置であって、
前記荷重伝達機構は、
前記カセットの前記除水容器を収容する部分の底板に設けられた孔を含み、
前記除水容器が前記荷重検出部の上に載置されること、
を特徴とする血液浄化装置。
【請求項４】
請求項３に記載の血液浄化装置であって、
前記装置本体は、前記荷重検出部が取り付けられるベースを有し、
前記荷重検出部は、前記孔に挿通していること、
を特徴とする血液浄化装置。
【請求項５】
請求項４に記載の血液浄化装置であって、
前記装置本体は、前記カセットを受けるカセット受座を有し、
前記荷重伝達機構は、前記孔と、前記カセットの前記孔に対応する位置の前記カセット受座に設けられた開口と、を含み、
前記荷重検出部は、前記孔と前記開口とに挿通していること、
を特徴とする血液浄化装置。
【請求項６】
請求項３に記載の血液浄化装置であって、
前記装置本体は、前記荷重検出部が取り付けられるベースを有し、
前記荷重伝達機構は、
前記孔と、前記孔に挿通し、前記ベースに取り付けられた前記荷重検出部と前記除水容器の底面との間に挟まれて、前記除水容器を前記カセットの底板から浮かせるスペーサを含み、
前記除水容器は前記スペーサを介して前記荷重検出部の上に載置されること、
を特徴とする血液浄化装置。
【請求項７】
請求項６に記載の血液浄化装置であって、
前記装置本体は、前記カセットを受けるカセット受座を有し、
前記カセット受座は、前記ベースとの間に隙間を空けて取り付けられており、
前記荷重伝達機構は、
前記カセットの前記孔に対応する位置の前記カセット受座に設けられた開口、を更に含み、
前記スペーサは、前記孔と前記開口に挿通し、前記カセットが前記装置本体に取り付けられて前記カセットの底面が前記装置本体の前記カセット受座に接した際に、前記ベースに取り付けられた前記荷重検出部と前記除水容器の底面との間に挟まれて、前記除水容器を前記カセットの底板から浮かせること、
を特徴とする血液浄化装置。
【請求項８】
請求項２に記載の血液浄化装置であって、
前記装置本体は、前記カセットが前記装置本体に取り付けられた際に前記カセットの内部に一部又は全部が入り込むように加熱体が配置されていること、
を特徴とする血液浄化装置。
【請求項９】
請求項２に記載の血液浄化装置であって、
前記装置本体は、前記カセットが前記装置本体に取り付けられた際に前記カセットの近傍に位置するように加熱体が配置されていること、
を特徴とする血液浄化装置。
【請求項１０】
請求項２に記載の血液浄化装置であって、
前記荷重伝達機構は、
前記カセットの前記除水容器を収容する部分の天井板に設けられた開口と、
前記除水容器の上部に突出した被係合部と、を含み、
前記除水容器が前記荷重検出部から吊り下げられること、
を特徴とする血液浄化装置。
【請求項１１】
請求項１０に記載の血液浄化装置であって、
前記荷重伝達機構は、
前記装置本体に取り付けられた前記荷重検出部に接続され、前記カセットが前記装置本体に取り付けられた際に前記開口を通して前記除水容器の被係合部に係合して前記除水容器を前記カセットの底板から浮かせる係合部を含み、
前記除水容器が前記係合部を介して前記荷重検出部から吊り下げられること、
を特徴とする血液浄化装置。
【請求項１２】
請求項１から１１のいずれか１項に記載の血液浄化装置であって、
前記カセットは、更に、ダイアライザと透析液再生カラムとを収容すること、
を特徴とする血液浄化装置。
【請求項１３】
請求項１から１２のいずれか１項に記載の血液浄化装置であって、
弾性を有するポンプチューブと、前記ポンプチューブを受けるチューブ受部材と、前記ポンプチューブの一部を前記チューブ受部材に押圧するチューブ押圧体と、前記チューブ押圧体を前記ポンプチューブの長手方向に移動させる駆動部と、を有し、前記ポンプチューブの内部の液体を押し出すポンプ部を含み、
前記カセットは、前記ポンプ部の少なくとも一部を含み、
前記装置本体は、前記ポンプ部の他の一部を含むこと、
を特徴とする血液浄化装置。
【請求項１４】
請求項１３に記載の血液浄化装置であって、
前記カセットは、前記ポンプ部の前記チューブ受部材と前記ポンプチューブとを含み、
前記装置本体は、前記チューブ押圧体と前記駆動部とを含み、
前記チューブ受部材は、前記カセットの前記ケーシングであり、
前記ポンプチューブは前記ケーシングの外面に取り付けられ、
前記チューブ押圧体は、複数のフィンガーであり、
前記カセットは、前記フィンガーと前記ケーシングの外面との間に前記ポンプチューブが位置するように前記装置本体に着脱可能であること、
を特徴とする血液浄化装置。
【請求項１５】
請求項１４に記載の血液浄化装置であって、
前記カセットは、前記ポンプ部の前記チューブ受部材と前記ポンプチューブと、前記チューブ押圧体とを含み、
前記装置本体は、前記駆動部を含み、
前記チューブ押圧体がロータであり、
前記ポンプチューブは、前記ロータの外周に沿った円弧部を含み、
前記チューブ受部材は、前記ポンプチューブの前記外周に沿った円弧部を含むステータであり、
前記カセットは、前記装置本体に取り付けられた際に前記ロータが前記駆動部に係合し、前記装置本体から取り外された際に前記ロータが前記駆動部から分離するように前記装置本体に着脱可能であること、
を特徴とする血液浄化装置。
【発明の詳細な説明】
【技術分野】
【０００１】
本発明は、血液浄化装置の構造に関する。
【背景技術】
【０００２】
血液浄化装置の取り扱いを簡便にするために、ダイアライザ、ポンプチューブ、血液回路等を収容したカセットを、ポンプロータと制御装置とが取り付けられた本体に着脱自在に取り付ける血液浄化装置が提案されている。この血液浄化装置では、カセットが本体に取り付けられると本体のポンプロータによってカセットのポンプチューブが順次押しつぶされて血液や透析液がダイアライザ等に圧送されるように構成されている（例えば、特許文献１参照）。【０００３】
また、透析中に体内の過剰な水分を体外に除去する除水が行われる。除水量によって血液ポンプ、透析液ポンプの送液量を制御することが必要となることから、除水した水分をバッグに貯留して除水量を測定することが必要となる。このため、血液浄化装置の外側にバッグを配置してバッグの重量を測定することにより除水量を求めることが行われている（例えば、特許文献２参照）。
【先行技術文献】
【特許文献】
【０００４】
【特許文献１】特開２００７−９７７４６号公報
【特許文献２】特許第５６５７７２６号公報
【発明の概要】
【発明が解決しようとする課題】
【０００５】
特許文献１に記載された従来技術の血液浄化装置では、接液部の一部をカセット内に収容しているものの、特許文献２に記載されたように除水容器等の他の接液部は別に血液浄化装置に取り付ける必要があり、血液浄化装置の取り扱いの簡便化の点では改善の余地があった。【０００６】
そこで、本発明は、血液浄化装置の取り扱いの簡便化を図ることを目的とする。
【課題を解決するための手段】
【０００７】
本発明の血液浄化装置は、装置本体と、前記装置本体に着脱自在に取り付けられるカセットと、を有する血液浄化装置であって、前記カセットは、除水容器を収容するケーシングを有し、前記装置本体に着脱可能であること、を特徴とする。【０００８】
このように、除水容器をカセットに取り付けて一体として装置本体に着脱できるので血液浄化装置の取り扱いを簡便にすることができる。【０００９】
本発明の血液浄化装置において、前記装置本体には、前記除水容器の荷重を測定する荷重検出部が取り付けられ、前記カセットに収容された前記除水容器の荷重を前記荷重検出部に伝達する荷重伝達機構を有すること、としてもよい。【００１０】
これにより、荷重検出部が収容されている装置本体でカセットに収容されている除水容器の重量の測定を行うことができるので、血液浄化装置の取り扱いを簡便にすることができる。【００１１】
本発明の血液浄化装置において、前記荷重伝達機構は、前記カセットの前記除水容器を収容する部分の底板に設けられた孔を含み、前記除水容器が前記荷重検出部の上に載置されること、としてもよい。また、前記装置本体は、前記荷重検出部が取り付けられるベースを有し、前記荷重検出部は、前記孔に挿通していること、としてもよい。更に、前記装置本体は、前記カセットを受けるカセット受座を有し、前記荷重伝達機構は、前記孔と、前記カセットの前記孔に対応する位置の前記カセット受座に設けられた開口と、を含み、前記荷重検出部は、前記孔と前記開口とに挿通していること、としてもよい。【００１２】
これにより、簡便な構成で荷重検出部が収容されている装置本体でカセットに収容されている除水容器の重量の測定を行うことができる。【００１３】
本発明の血液浄化装置において、前記装置本体は、前記荷重検出部が取り付けられるベースを有し、前記荷重伝達機構は、前記孔と、前記孔に挿通し、前記ベースに取り付けられた前記荷重検出部と前記除水容器の底面との間に挟まれて、前記除水容器を前記カセットの底板から浮かせるスペーサを含み、前記除水容器は前記スペーサを介して前記荷重検出部の上に載置されること、としてもよい。また、前記装置本体は、前記カセットを受けるカセット受座を有し、前記カセット受座は、前記ベースとの間に隙間を空けて取り付けられており、前記荷重伝達機構は、前記カセットの前記孔に対応する位置の前記カセット受座に設けられた開口、を更に含み、前記スペーサは、前記孔と前記開口に挿通し、前記カセットが前記装置本体に取り付けられて前記カセットの底面が前記装置本体の前記カセット受座に接した際に、前記ベースに取り付けられた前記荷重検出部と前記除水容器の底面との間に挟まれて、前記除水容器を前記カセットの底板から浮かせること、としてもよい。【００１４】
この構成により、簡便な構成で荷重検出部が収容されている装置本体でカセットに収容されている除水容器の重量の測定を行うことができる。【００１５】
本発明の血液浄化装置において、前記荷重伝達機構は、前記カセットの前記除水容器を収容する部分の天井板に設けられた開口と、前記除水容器の上部に突出した被係合部と、を含み、前記除水容器が前記荷重検出部から吊り下げられること、としてもよい。また、本発明の血液浄化装置において、前記荷重伝達機構は、前記筐体に取り付けられた前記荷重検出部に接続され、前記カセットが前記筐体に取り付けられた際に前記開口を通して前記除水容器の被係合部に係合して前記除水容器を前記カセットの底板から浮かせる係合部を含み、前記除水容器が前記係合部を介して前記荷重検出部から吊り下げられること、としてもよい。【００１６】
これにより、簡便な構成で荷重検出部が収容されている装置本体でカセットに収容されている除水容器の重量の測定を行うことができる。【００１７】
本発明の血液浄化装置において、前記装置本体は、前記カセットが前記装置本体に取り付けられた際に前記カセットの内部に一部又は全部が入り込むように加熱体が配置されてもよい。例えば、前記カセットが前記装置本体に取り付けられた際に前記カセットに収容された前記除水容器の下側となる領域に前記加熱体を配置し、前記加熱体の一部又は全部が下側から前記カセットの内部に入りこむようにしてもよい。また、前記除水容器の底部に凹部を設け、前記カセットが前記装置本体に取り付けられた際に前記加熱体が下側から前記凹部に入り込むように構成してもよい。また、前記加熱体が前記カセットの側面或いは上側から前記カセットの内部に入り込むようにしてもよい。【００１８】
また、本発明の血液浄化装置において、前記装置本体は、前記カセットが前記装置本体に取り付けられた際に前記カセットの近傍に位置するように加熱体が配置されてもよい。例えば、前記装置本体は、前記カセットが前記装置本体に取り付けられた際に前記カセットの下側の近傍に前記加熱体が位置するようにしてもよい。また、前記装置本体は、前記カセットが取り付けられた際に前記カセットの側面の近傍に前記加熱体が位置するようにしてもよい。また、前記装置本体は、前記カセットが取り付けられた際に、前記カセットの上側の近傍に前記加熱体が位置するようにしてもよい。【００１９】
この構成により、簡便な構成で荷重検出部が収容されている装置本体でカセットに収容されている除水容器の重量の測定を行うことができると共に、透析液を加温して患者への返血液の温度を維持することができる。【００２０】
本発明の血液浄化装置において、前記カセットは、更に、ダイアライザと透析液再生カラムとを収容することとしてもよい。また、本発明の血液浄化装置において、弾性を有するポンプチューブと、前記ポンプチューブを受けるチューブ受部材と、前記ポンプチューブの一部を前記チューブ受部材に押圧するチューブ押圧体と、前記チューブ押圧体を前記ポンプチューブの長手方向に移動させる駆動部と、を有し、前記ポンプチューブの内部の液体を押し出すポンプ部を含み、前記カセットは、前記ポンプ部の少なくとも一部を含み、前記装置本体は、前記ポンプ部の他の一部を含むこと、としてもよい。ここで、前記カセットは、前記ポンプ部の前記チューブ受部材と前記ポンプチューブとを含み、前記装置本体は、前記チューブ押圧体と前記駆動部とを含み、前記チューブ受部材は、前記カセットの前記ケーシングであり、前記ポンプチューブは前記ケーシングの外面に取り付けられ、前記チューブ押圧体は、複数のフィンガーであり、前記カセットは、前記フィンガーと前記ケーシングの外面との間に前記ポンプチューブが位置するように前記装置本体に着脱可能であること、としてもよい。また、ここで、前記カセットは、前記ポンプ部の前記チューブ受部材と前記ポンプチューブと、前記チューブ押圧体とを含み、前記装置本体は、前記駆動部を含み、前記チューブ押圧体がロータであり、前記ポンプチューブは、前記ロータの外周に沿った円弧部を含み、前記チューブ受部材は、前記ポンプチューブの前記外周に沿った円弧部を含むステータであり、前記カセットは、前記装置本体に取り付けられた際に前記ロータが前記駆動部に係合し、前記装置本体から取り外された際に前記ロータが前記駆動部から分離するように前記装置本体に着脱可能であること、としてもよい。【００２１】
これにより、全ての接液部を一体として装置本体に着脱できるので血液浄化装置の取り扱いを簡便にすることができる。
【発明の効果】
【００２２】
本発明は、血液浄化装置の取り扱いの簡便化を図ることができる。
【図面の簡単な説明】
【００２３】
【図１】実施形態の血液浄化装置の斜視図である。
【図２】実施形態の血液浄化装置の分解斜視図である。
【図３】実施形態の血液浄化装置の立断面図である。
【図４】実施形態の血液浄化装置の平断面図である。
【図５】図４に示すＡ−Ａ断面図である。
【図６】他の実施形態の血液浄化装置の荷重伝達機構を示す説明図である。
【図７】他の実施形態の血液浄化装置の荷重伝達機構を示す説明図である。
【図８】図１に示す血液浄化装置の変形例における荷重伝達機構を示す断面図である。
【図９】図１に示す血液浄化措置の他の変形例を示す断面図である。
【図１０】図１に示す血液浄化装置の他の変形例を示す断面図である。
【図１１】図１に示す血液浄化装置の他の変形例を示す断面図である
【図１２】図１に示す血液浄化装置の他の変形例を示す平断面図である。
【図１３】図１に示す血液浄化装置の他の変形例を示す平断面図である。
【図１４】図１に示す血液浄化装置の他の変形例を示す平断面図である。
【図１５】図１に示す血液浄化装置の他の変形例を示す分解斜視図である。
【図１６】図１５に示す血液浄化装置の断面図である。
【図１７】図７に示す血液浄化装置の変形例を示す断面図である。
【図１８】図７に示す血液浄化装置の他の変形例を示す断面図である。
【図１９】図７に示す血液浄化装置の他の変形例を示す断面図である。
【発明を実施するための形態】
【００２４】
以下、図面を参照しながら実施形態の血液浄化装置１００について説明する。図１に示すように、血液浄化装置１００は、装置本体１０と、装置本体１０に着脱自在に取り付けられるカセット３０とで構成される。カセット３０は下部を装置本体１０のカセット受座１３にはめ込み、上部の爪部３５を装置本体１０の金具１８で締めることによって装置本体１０に取り付けられる。透析等に使用する際には、カセット３０の血液入口ノズル５１ａと血液出口ノズル５１ｂとをそれぞれ人体の血管に接続する。以下の説明では、装置本体１０とカセット３０との並び方向を前後方向、水平面で前後方向と直角方向を幅方向、垂直方向を上下方向として説明する。
【００２５】
図２に示すように、カセット３０のケーシング３１には、ダイアライザ３６と透析液再生カラム３８と除水容器３７が収容されており、ケーシング３１の後板３２の外面３２ａには弾性を有する複数のポンプチューブ４１（４１ａ〜４１ｃ）が取り付けられている。ケーシング３１は、ポンプチューブ４１を受けるチューブ受部材を構成する。装置本体１０は、図３に示すように、複数のフィンガー１５を収容するフィンガーケーシング１４と、フィンガー１５の駆動部１６と、駆動部１６の駆動制御を行う制御部２０と、これらを収容する筐体１１とを含んでいる。フィンガー１５は、ポンプチューブ４１を径方向に圧縮しつつ圧縮位置をポンプチューブ４１の長手方向に移動させることにより内部の液体を流動させるチューブ押圧体である。フィンガー１５とフィンガーケーシング１４とはポンプ部である蠕動ポンプを構成する。
【００２６】
血液浄化装置１００は、血液回路と透析液回路とを備えている。血液回路は、血液入口ノズル５１ａから流入した人体からの血液を血液出口ノズル５１ｂから人体に戻す液体回路であり、血液ポンプのポンプチューブ４１ａ、ダイアライザ３６の血液側流路、ドリップチャンバと、これらを接続する接続管で構成される。また、透析液回路は、透析液をダイアライザ３６に循環させる液体回路であり、ダイアライザ３６の透析液側流路、透析液再生カラム３８、除水容器３７、透析液出口ポンプのポンプチューブ４１ｂ、透析液入口ポンプのポンプチューブ４１ｃとこれらを接続する接続管で構成される。なお、透析液再生カラム３８は透析液回路中のいずれの場所に設置されていても良い。
【００２７】
血液浄化装置１００は、血液を血液回路に流し、透析液を透析液回路に流してダイアライザ３６で血液中の不要な老廃物や過剰な水分の除去を行うものである。血液回路と透析液回路とは接液部を構成する。図１、図２に示すように、カセット３０は、接液部を構成するダイアライザ３６、透析液再生カラム３８、除水容器３７、ドリップチャンバ、ポンプチューブ４１ａ〜４１ｃ、血液入口ノズル５１ａ，血液出口ノズル５１ｂ、およびこれらを接続する接続管が取り付けられているものである。
【００２８】
なお、説明では、ポンプチューブ４１ａ〜４１ｃはそれぞれ血液ポンプ、透析液出口ポンプ、透析液入口ポンプに対応するものとしたが、これに限らず、ポンプチューブ４１ａ〜４１ｃは血液ポンプ、透析液出口ポンプ、透析液入口ポンプのいずれに含まれるものとしてもよい。
【００２９】
図２に示すように、装置本体１０の筐体１１は、四角板のベース１２と、Ｌ字形の左右の側板１１ａと、ベース１２の前側に取り付けられた前板１１ｂと、カセット受座１３とを備えている。図３（ａ）に示すように、ベース１２の中央にはリブ１２ａが取り付けられており、カセット受座１３は、左右の側板１１ａの前方部分と前板１１ｂとリブ１２ａの上に搭載されている。このように、カセット受座１３はベース１２との間に隙間を空けて取り付けられている。
【００３０】
図２、図３に示すように、カセット受座１３は、左右の側板１１ａの前方部分と前板１１ｂとリブ１２ａの上に取り付けられてカセット３０の底板３４が載る平板状の受け板１３ａと、受け板１３ａの幅方向の両端と前端に立設する縦フランジ１３ｂとを含んでいる。縦フランジ１３ｂの内側の面は、図５に示すようにカセット３０を受け入れ易いように外側に向かって傾斜している。
【００３１】
また、ベース１２の上面には、血液ポンプ、透析液出口ポンプ、透析液入口ポンプを構成する各フィンガーケーシング１４ａ〜１４ｃが取り付けられている。各フィンガーケーシング１４ａ〜１４ｃには、各駆動部１６ａ〜１６ｃが取り付けられている。
【００３２】
図２、図３（ａ）に示すように、カセット３０のケーシング３１は、底板３４と、底板３４の後端縁から上下方向に立設する後板３２と、底板３４の幅方向両端縁から上下方向に立設する側板３１ａと底板３４の前端縁から上下方向に立設する前板３１ｂと、を含んでいる。底板３４と側板３１ａと前板３１ｂと後板３２とで囲まれる空間には、ダイアライザ３６、透析液再生カラム３８、除水容器３７が収容されている。また、ダイアライザ３６、透析液再生カラム３８、除水容器３７とを接続する接続管もカセット３０の中に収容されている。
【００３３】
後板３２の装置本体側の平らな外面３２ａには、ポンプチューブ４１ａ〜４１ｃが取り付けられている。ポンプチューブ４１ａ〜４１ｃの両端は、血液回路、透析液回路に接続されている。ポンプチューブ４１ａ〜４１ｃの後板３２側の面は、後板３２の平らな外面３２ａに沿って配置されている。
【００３４】
図２に示すように、各フィンガーケーシング１４ａ〜１４ｃの前方側の面には、各ポンプチューブ４１ａ〜４１ｃが嵌りこむような上下方向に延びる溝が設けられているので、図２に示すように、カセット３０の後板３２を装置本体１０の側に向けて装置本体１０に組みつけると、図４に示すように、各ポンプチューブ４１ａ〜４１ｃは、各フィンガーケーシング１４ａ〜１４ｃの溝と後板３２の平らな外面３２ａとの間に位置する。駆動部１６ａ〜１６ｃによりフィンガー１５ａ〜１５ｃが駆動されると、図３（ｂ）に示すように、弾性を有する各ポンプチューブ４１ａ〜４１ｃはそれぞれフィンガー１５ａ〜１５ｃによって押圧される。
【００３５】
図５は、図４に示すＡ−Ａ断面であり、カセット３０の除水容器３７を収容する部分の断面図である。図５に示すように、カセット３０の除水容器３７を収容する部分の底板３４には、孔３４ｃが設けられている。また、カセット３０の底板３４の孔３４ｃに対応する位置のカセット受座１３には開口１３ｃが設けられている。孔３４ｃと開口１３ｃとは１つの貫通孔を構成する。孔３４ｃと開口１３ｃとで構成される貫通孔にはスペーサ２２が挿通しており、スペーサ２２の下のベース１２の上面には除水容器３７の荷重を測定する荷重検出部２１が取り付けられている。スペーサ２２は、カセット３０が装置本体１０に取り付けられて底板３４の下面３４ａがカセット受座１３の上面１３ｄに接した際に底板３４の上面３４ｂより突出して除水容器３７の底面３７ａを底板３４の上面３４ｂから浮かせるような厚みとなっている。
【００３６】
図５に一点鎖線で示すように、カセット３０が装置本体１０に取り付けられる前の状態では、除水容器３７は、ケーシング３１の底板３４の上面３４ｂで荷重が支持されている。カセット３０を装置本体１０の筐体１１に取り付けていき、底板３４の下面３４ａがカセット受座１３の上面１３ｄに近接すると、スペーサ２２の上面は底板３４の上面３４ｂより突出してくる。そして、カセット３０を装置本体１０の筐体１１に取り付けて底板３４の下面３４ａがカセット受座１３の上面１３ｄに接した状態では、図５に実線で示すように、スペーサ２２の上面は底板３４の上面３４ｂより突出して除水容器３７の底面３７ａを底板３４の上面３４ｂから浮かせる。そして、スペーサ２２は、荷重検出部２１と除水容器３７の底面３７ａとの間に挟み込まれて、除水容器３７の荷重を荷重検出部２１に伝達する。このように、除水容器３７は荷重検出部２１の上に載置され、装置本体１０に取り付けられた荷重検出部２１により、カセット３０に収容された除水容器３７の荷重を測定することができる。このように、荷重検出部２１は、カセット３０全体の重量ではなく、液体を収容する除水容器３７の荷重を測定するので、除水容器３７の荷重を正確に測定することができる。
【００３７】
ここで、カセット３０の底板３４に設けられた孔３４ｃと、カセット受座１３に設けられた開口１３ｃと、前記孔３４ｃと開口１３ｃに挿通するスペーサ２２とは、除水容器３７の荷重を荷重検出部２１に伝達する荷重伝達機構を構成する。
【００３８】
以上の説明では、荷重検出部２１とスペーサ２２を別体とをして説明したが、これに限らず、荷重検出部２１が、カセット３０の底板３４に設けられた孔３４ｃと、カセット受座１３に設けられた開口１３ｃと、に挿通し、カセット３０を装置本体１０の筐体１１に取り付けた状態で荷重検出部２１の上面が底板３４の上面３４ｂより突出し、除水容器３７が荷重検出部２１の上に直接載置されるように構成してもよい。
【００３９】
また、カセット受座１３を設けず、ベース１２のカセット３０の底板３４に設けられた孔３４ｃに対応する領域に凹部を設け、この凹部の中に荷重検出部２１を取り付け、荷重検出部２１が孔３４ｃに挿通し、カセット３０を装置本体１０の筐体１１に取り付けた状態で荷重検出部２１の上面が底板３４の上面３４ｂより突出し、除水容器３７が荷重検出部２１の上に載置されるように構成してもよい。
【００４０】
更に、上記の構成において、荷重検出部２１の上にスペーサ２２を重ね、カセット３０を装置本体１０の筐体１１に取り付けた状態でスペーサ２２の上面が底板３４の上面３４ｂより突出し、除水容器３７がスペーサ２２の上に載置されるように構成してもよい。
【００４１】
以上説明したように、本実施形態の血液浄化装置１００は、血液回路、透析液回路を構成するダイアライザ３６、除水容器３７、透析液再生カラム３８、各ポンプチューブ４１ａ〜４１ｃ及び各機器を接続する接続管をカセット３０に一体に収容して装置本体１０に着脱可能としている。このため、カセット３０を装置本体１０に取り付けて、血液入口ノズル５１ａ，血液出口ノズル５１ｂを人体の血管に挿入されている穿刺針に接続するのみで透析を行うことができ血液浄化装置１００の取り扱いを簡便にすることができる。また、カセット３０は、血液回路、透析液回路の接液部の使い捨て品を全て格納しているので、カセット３０を使い捨てにすることで使い捨て品を一括して廃棄することができる。これによって血液浄化装置１００の取り扱いを簡便にすることができる。
【００４２】
また、本実施形態の血液浄化装置１００では、ポンプ部のチューブ押圧体はフィンガー１５であり、チューブ受部材はケーシング３１であるとして説明し、ポンプチューブ４１を径方向に押圧しつつ押圧位置をポンプチューブ４１の長手方向に移動させることにより内部の液体を押し出す蠕動ポンプとして説明したが、これに限らず、しごき型のローラポンプでもよい。この場合、ポンプ部のチューブ押圧体はロータであり、ポンプチューブ４１は、ロータの外周に沿った円弧部を含み、ポンプチューブ４１は、ポンプチューブ４１の外周に沿った円弧部を含むチューブ受部材であるステータに押圧される。ローラポンプを用いる場合、カセット３０にステータとロータとポンプチューブとを取り付け、装置本体１０に駆動部を取り付け、カセット３０は、装置本体１０に取り付けられた際にロータが駆動部に係合し、装置本体１０から取り外された際にロータが駆動部から分離するように装置本体１０に着脱可能としてもよい。
【００４３】
また、しごき型のローラポンプを用いる場合、カセット３０のケーシング３１にロータの外周に沿った円弧部を含むポンプチューブ４１と、ポンプチューブ４１の外周に沿った円弧部を含むステータとを取り付け、装置本体１０にロータと駆動部とを取り付け、カセット３０は、ロータとステータとの間にポンプチューブ４１が位置するように装置本体１０に着脱可能であること、としてもよい。
【００４４】
更に、本実施形態の血液浄化装置１００では、カセット３０を装置本体１０の筐体１１に取り付けた際に、使い捨てにするカセット３０ではなく装置本体１０に取り付けられた荷重検出部２１により、カセット３０に収容された除水容器３７のみの荷重を測定することができるので、血液浄化装置１００の取り扱いを簡便にすることができる。
【００４５】
本実施形態の血液浄化装置１００では、カセット３０は装置本体１０に金具１８で取り付けることとして説明したが、これに限らず、例えば、締結部品を用いて取り付けてもよいし、レバーを回転させることによってカセット３０を装置本体１０に取り付けてもよい。また、カセット３０には血液入口ノズル５１ａと血液出口ノズル５１ｂとが取り付けられていることとして説明したが、これに限らず、例えば、血液回路の人体に向かう管の一部がカセット３０から出るように構成してもよい。
【００４６】
次に、図６、図７を参照しながら、他の実施形態の血液浄化装置２００、３００について説明する。先に図１から図５を参照して説明した血液浄化装置１００と同様の部位については説明を省略する。
【００４７】
図６に示す血液浄化装置２００は、カセット３０の除水容器３７を収容する部分の前カバー３３の天井板に開口３３ａを設け、除水容器３７の上部に突出した被係合部であるハンドル６１を取り付け、装置本体１０の筐体１１に取り付けられた荷重検出部２１に係合部であるフック６２を接続したものである。カセット３０を装置本体１０の筐体１１に取り付けると、フック６２がハンドル６１に係合して、除水容器３７は荷重検出部２１から吊り下げられて、除水容器３７の底面３７ａがカセット３０の底板３４の上面３４ｂから浮きあがる。これにより、除水容器３７の荷重を装置本体１０に取り付けられた荷重検出部２１に伝達し、荷重検出部２１で除水容器３７の荷重を測定することができる。
【００４８】
本実施形態の血液浄化装置２００では、前カバー３３の開口３３ａ、ハンドル６１、フック６２は、除水容器３７の荷重を荷重検出部２１に伝達する荷重伝達機構を構成する。
【００４９】
図７に示す血液浄化装置３００は、血液浄化装置２００のハンドル６１を開口３３ａから上方向に突出する突出ハンドル６３とし、フック６２をアーム６４とし、カセット３０を装置本体１０の筐体１１の取り付けた際にカセット３０の前カバー３３の天井板から突出した突出ハンドル６３にアーム６４を係合させて除水容器３７をカセット３０の底板３４の上面３４ｂから浮かせる。そして、突出ハンドル６３とアーム６４とで除水容器３７の荷重を装置本体１０に取り付けられた荷重検出部２１に伝達し、荷重検出部２１で除水容器３７の荷重を測定する。
【００５０】
本実施形態の血液浄化装置３００では、前カバー３３の開口３３ａ、突出ハンドル６３、アーム６４は、除水容器３７の荷重を荷重検出部２１に伝達する荷重伝達機構を構成する。
【００５１】
以上説明した血液浄化装置２００、３００は、血液浄化装置１００と同様の効果を奏する。
【００５２】
次に図８を参照しながら図１〜５を参照して説明した血液浄化装置１００の変形例である血液浄化装置１１０について説明する。図８に示す血液浄化装置１１０は、図１〜図５を参照して説明した血液浄化装置１００のカセット３０が装置本体１０に取り付けられた際にカセット３０に収容された除水容器３７の下側となる領域に配置されているスペーサ２２を加熱体７１としたものである。加熱体７１は、カセット３０が装置本体１０に取り付けられた際に一部が下側からカセット３０の中に入り込むように構成されている。他の構成は、血液浄化装置１００と同一である。
【００５３】
図８に示すように、加熱体７１は、カセット３０が装置本体１０に取り付けられて底板３４の下面３４ａがカセット受座１３の上面１３ｄに接した際に底板３４の上面３４ｂより突出して除水容器３７の底面３７ａを底板３４の上面３４ｂから浮かせるような厚みとなっている。
【００５４】
カセット３０を装置本体１０の筐体１１に取り付けて底板３４の下面３４ａがカセット受座１３の上面１３ｄに接すると、加熱体７１の上面は底板３４の上面３４ｂより突出して除水容器３７の底面３７ａを底板３４の上面３４ｂから浮かせる。そして、加熱体７１は、荷重検出部２１と除水容器３７の底面３７ａとの間に挟み込まれて、除水容器３７の荷重を荷重検出部２１に伝達する。このように、除水容器３７は荷重検出部２１の上に載置され、装置本体１０に取り付けられた荷重検出部２１により、カセット３０に収容された除水容器３７の荷重を測定することができる。
【００５５】
加熱体７１は、除水容器３７の底面３７ａに接触して除水容器３７に収容されている液体を加温するものであり、例えば、シート状又は板状のヒータプレート等で構成されてもよい。また、除水容器３７の底面３７ａに張り付けた金属板を高周波の電磁気で加熱する電磁加熱器、或いは、高周波誘導加熱器でもよい。このように、加熱体７１で除水容器３７に収容された液体を加温することにより、透析液を加温して患者への返血液の温度を維持することができる。
【００５６】
次に図９を参照して血液浄化装置１００の他の変形例である血液浄化装置１２０について説明する。図９に示す血液浄化装置１２０は、図１〜図５を参照して説明した血液浄化装置１００で、除水容器３７の下側の領域に配置されるスペーサ２２の上に薄いシート状又は板状の加熱体７２を乗せたものである。加熱体７２は、カセット３０が装置本体１０に取り付けられた際に全部がカセット３０の中に入り込むように構成されている。他の構成は、血液浄化装置１００と同一である。
【００５７】
図９に示すように、スペーサ２２は、カセット３０が装置本体１０に取り付けられて底板３４の下面３４ａがカセット受座１３の上面１３ｄに接した際に底板３４の上面３４ｂより突出する厚さとなっている。スペーサ２２の上に載置された加熱体７２は、薄いシート状又は板状のヒータプレート、又は、ペルチェ素子等で構成されてもよい。
【００５８】
カセット３０を装置本体１０の筐体１１に取り付けて底板３４の下面３４ａがカセット受座１３の上面１３ｄに接すると、加熱体７２は、スペーサ２２と共に荷重検出部２１と除水容器３７の底面３７ａとの間に挟み込まれて、除水容器３７の荷重を荷重検出部２１に伝達する。これにより、装置本体１０に取り付けられた荷重検出部２１により、カセット３０に収容された除水容器３７の荷重を測定することができる。また、先に説明した血液浄化装置１１０と同様、加熱体７２で除水容器３７に収容された液体を加温することにより、透析液を加温して患者への返血液の温度を維持することができる。
【００５９】
なお、加熱体７２の厚みが図９に示す状態よりも厚く、加熱体７２が孔３４ｃの中に入り込んでいても、スペーサ２２の厚さと加熱体７２とり合計厚さが、カセット３０の底板３４の下面３４ａがカセット受座１３の上面１３ｄに接した際に底板３４の上面３４ｂより突出する厚みとなっていればよい。この場合には、カセット３０が装置本体１０に取り付けられた際に、加熱体７２の一部がカセット３０の内部に入り込む。
【００６０】
次に図１０を参照して血液浄化装置１３０について説明する。図１０に示す血液浄化装置１３０は、図１〜図５を参照して説明した血液浄化装置１００のスペーサ２２を環状部材とし、内側に加熱体７３を取り付けたものである。加熱体７３は、カセット３０が装置本体１０に取り付けられた際にカセット３０に収容された除水容器３７の下側となる領域に位置する。加熱体７３の上部は、カセット３０が装置本体１０に取り付けられた際に孔３４ｃを貫通してカセット３０の中に入り込む。加熱体７３の高さは、スペーサ２２の上面と同一の高さで除水容器３７の荷重を受けて荷重検出部２１に伝達するようにしてもよいし、スペーサ２２の上面の高さよりも低くして、除水容器３７の荷重を受けないように構成してもよい。なお、加熱体７３は、孔３４ｃを貫通していなくてもよい。孔３４ｃを貫通していない場合には、加熱体７３は、カセット３０の中に入り込んでおらず、カセット３０の下側の近傍に位置する。他の構成は、血液浄化装置１００と同一である。
【００６１】
環形状のスペーサ２２は、先に説明した血液浄化装置１００のスペーサ２２と同様、除水容器３７と荷重検出部２１との間に挟まれて除水容器３７の荷重を荷重検出部２１に伝達する。また、加熱体７３により除水容器３７の中に収容された液体を加温することにより、透析液を加温して患者への返血液の温度を維持することができる。
【００６２】
次に図１１を参照しながら先に説明した血液浄化装置１００の他の変形例である血液浄化装置１４０について説明する。図１１に示すように、血液浄化装置１４０は、カセット受座１３に設けた開口１３ｃの下側のベース１２の上にスペーサ２２、荷重検出部２１とは別に加熱体７４を配置したものである。加熱体７４は、カセット３０が装置本体１０に取り付けられた際に除水容器３７の底面３７ａの下側に位置する。加熱体７４の上部は、カセット３０が装置本体１０に取り付けられた際に孔３４ｃを貫通してカセット３０の中に入り込んでいるが、加熱体７４の高さは、スペーサ２２の上面の高さよりも低く、除水容器３７の荷重を受けないように構成されている。なお、加熱体７４は、孔３４ｃを貫通していなくてもよい。孔３４ｃを貫通していない場合には、加熱体７４は、カセット３０の中に入り込んでおらず、カセット３０の下側の近傍に位置する。加熱体７４は、例えば、電磁加熱器、或いは、高周波誘導加熱器でもよい。また、加熱体７４をシート状又は板状のヒータプレート、或いはペルチェ素子等で構成し、開口１３ｃの下側のベース１２の上側に取り付けるようにしてもよい。なお、加熱体７４は、カセット３０が装置本体１０に取り付けられた際にカセット３０に収容された除水容器３７の下側となる領域に配置されていればよく、開口１３ｃの下側の領域ではなく、開口１３ｃの周縁のカセット受座１３の受け板１３ａの下側のベース１２の上に取り付けられていてもよい。
【００６３】
血液浄化装置１４０は、血液浄化装置１１０と同様、加熱体７４で除水容器３７に収容された液体を加温することにより、透析液を加温して患者への返血液の温度を維持することができる。
【００６４】
次に図１２を参照しながら先に説明した血液浄化装置１００の他の変形例の血液浄化装置１５０について説明する。図１２に示す血液浄化装置１５０は、装置本体１０のカセット３０が装置本体１０に取り付けられた際にカセット３０の側面の近傍に位置するように加熱体７５が配置されたものである。他の構成は、血液浄化装置１００と同一である。
【００６５】
図１２に示すように、血液浄化装置１５０では、フィンガーケーシング１４ａ〜１４ｃを透析液再生カラム３８が配置される方に寄せて取り付け、フィンガーケーシング１４ａと装置本体１０の筐体１１の側板１１ａとの間にスペースを設け、このスペースに加熱体７５を取り付けたものである。加熱体７５は、カセット３０が装置本体１０に取り付けられた際に、カセット３０に収容された除水容器３７とカセット３０の後板３２を挟んで前後方向に対向する位置となっている。
【００６６】
加熱体７５は非接触式加熱器で、カセット３０の後板３２を介して非接触で除水容器３７或いは除水容器３７に収容されている液体を加熱するものである。加熱体７５は、例えば、電磁加熱器でもよいし、後板３２に設けたスリットから光線を除水容器３７に照射して除水容器３７を加熱する光学式加熱器でもよい。血液浄化装置１５０は、血液浄化装置１１０，１２０，１３０と同様、加熱体７５で除水容器３７に収容された液体を加温することにより、透析液を加温して患者への返血液の温度を維持することができる。
【００６７】
図１３に示す血液浄化装置１６０は、図１２を参照して説明した血液浄化装置１５０とは反対に、加熱体７５が、カセット３０が装置本体１０に取り付けられた際に、カセット３０に収容された透析液再生カラム３８とカセット３０の後板３２を挟んで前後方向に対向する位置となっているものである。他の構成は、図１２を参照して説明した血液浄化装置１５０と同一である。
【００６８】
血液浄化装置１６０は、加熱体７５で透析液再生カラム３８に収容された液体を加温することにより、透析液を加温して患者への返血液の温度を維持することができる。
【００６９】
図１４に示す血液浄化装置１７０は、図１２を参照して説明した血液浄化装置１５０のカセット３０のケーシング３１の装置本体１０の側の後板３２に開口３２ｂを設け、開口３２ｂを挟んで前後方向に対向する装置本体１０の中に温風発生器７６を配置したものである。
【００７０】
血液浄化装置１７０は、開口３２ｂからカセット３０のケーシング３１の内部に温風発生器７６からの温風を流入させて、カセット３０に収容されているダイアライザ３６、除水容器３７、透析液再生カラム３８を加温することにより、透析液を加温して患者への返血液の温度を維持することができる。
【００７１】
図１５に示す血液浄化装置１８０は、除水容器３７の底部に凹部３７ｂを設け、カセット３０が装置本体１０に取り付けられた際に加熱体７４ａが凹部３７ｂに入り込むように構成したものである。
【００７２】
血液浄化装置１８０は、図１１を参照して説明した血液浄化装置１４０の加熱体７４を高さの高い加熱体７４ａとし、除水容器３７の底部に凹部３７ｂを設けたものである。カセット３０を装置本体１０のカセット受座１３の受け板１３ａの上に取り付けると、図１６に示すように、加熱体７４ａは、カセット３０の内部に入り込むと共に、カセット３０の中に収容された除水容器３７の下側から凹部３７ｂに入り込む。また、除水容器３７の底面３７ａは、スペーサ２２の上面に当たり、除水容器３７の荷重は荷重検出部２１で検出される。なお、加熱体７４ａの高さは、凹部３７ｂの上部に接しない高さであり、除水容器３７の荷重を伝達しない。
【００７３】
血液浄化装置１８０は、加熱体７４ａが除水容器３７の凹部３７ｂに入り込むので、より効果的に除水容器３７を加温することができる。なお、上記の実施形態では、加熱体７４ａがカセット３０の下側からカセット３０の内部に入り込むこととして説明したが、これに限らない。例えば、カセット３０の後板３２に開口を設け、加熱体７４ａを装置本体１０の仕切り板１１ｃに取り付けて、カセット３０を装置本体１０に取り付けた際にカセット３０の後側から横方向に加熱体７４ａが入り込むようにしてもよい。また、加熱体７４ａを装置本体１０の上部に取り付けると共にカセット３０の天井板に開口を設け、カセット３０を装置本体１０に取り付けた際に加熱体７４ａがカセット３０の上側からカセット３０の内部に入り込むようにしてもよい。
【００７４】
図１７に示す血液浄化装置３１０は、図７を参照して説明した血液浄化装置３００のように、カセット３０を装置本体１０に取り付けた際に除水容器３７が荷重検出部２１のアーム６４から吊り下げられるように構成されている場合に、装置本体１０の筐体１１のカセット３０の側の仕切り板１１ｃからカセット３０の上側となる位置に加熱体７７を突出させて配置したものである。加熱体７７は、カセット３０が装置本体１０に取り付けられた際にカセット３０の上側の近傍に位置するよう配置されている。
【００７５】
図１８に示す血液浄化装置３２０は、カセット３０が装置本体１０に取り付けられた際にカセット３０の下側の近傍に加熱体７８が配置されるように、加熱体７８をカセット受座１３の受け板１３ａの下面に配置したものである。
【００７６】
図１９に示す血液浄化装置３３０は、装置本体１０の筐体１１の内部のカセット３０の側の仕切り板１１ｃに加熱体７９を取り付けたものである。加熱体７９は、カセット３０が装置本体１０に取り付けられた際にカセット３０の側面の近傍に位置するように配置されている。
【００７７】
図１７〜図１８を参照して説明した血液浄化装置３１０，３２０，３３０は、加熱体７７，７８，７９でカセット３０に収容されているダイアライザ３６、除水容器３７、透析液再生カラム３８を加温することにより、透析液を加温して患者への返血液の温度を維持することができる。
【００７８】
なお、本発明は以上説明した実施形態に限定されるものではなく、請求の範囲により規定されている本発明の技術的範囲ないし本質から逸脱することない全ての変更及び修正を包含するものである。
【符号の説明】
【００７９】
１０  装置本体、１１  筐体、１１ａ  側板、１１ｂ  前板、１１ｃ  仕切り板、１２  ベース、１２ａ  リブ、１３  カセット受座、１３ａ  受け板、１３ｂ  縦フランジ、１３ｃ，３３ａ  開口、１３ｄ，３４ｂ  上面、１４，１４ａ〜１４ｃ  フィンガーケーシング、１５,１５ａ〜１５ｃ  フィンガー、１６，１６ａ〜１６ｃ  駆動部、１８  金具、２０  制御部、２１  荷重検出部、２２  スペーサ、３０  カセット、３１  ケーシング、３１ａ  側板、３１ｂ  前板、３２  後板、３２ａ  外面、３２ｂ  開口、３４  底板、３４ａ  下面、３４ｃ  孔、３５  爪部、３６  ダイアライザ、３７  除水容器、３７ａ  底面、３８  透析液再生カラム、４１，４１ａ〜４１ｃ  ポンプチューブ、５１ａ  血液入口ノズル、５１ｂ  血液出口ノズル、６１  ハンドル、６２  フック、６３  突出ハンドル、６４  アーム、７１〜７４，７４ａ，７５，７７〜７９  加熱体、７６  温風発生器、１００，１１０，１２０，１３０，１４０，１５０，１６０，１８０，２００，３００，３１０，３２０，３３０  血液浄化装置。
【図１】
2020045385.tif 000003
【図２】
2020045385.tif 000004
【図３】
2020045385.tif 000005
【図４】
2020045385.tif 000006
【図５】
2020045385.tif 000007
【図６】
2020045385.tif 000008
【図７】
2020045385.tif 000009
【図８】
2020045385.tif 000010
【図９】
2020045385.tif 000011
【図１０】
2020045385.tif 000012
【図１１】
2020045385.tif 000013
【図１２】
2020045385.tif 000014
【図１３】
2020045385.tif 000015
【図１４】
2020045385.tif 000016
【図１５】
2020045385.tif 000017
【図１６】
2020045385.tif 000018
【図１７】
2020045385.tif 000019
【図１８】
2020045385.tif 000020
【図１９】
2020045385.tif 000021
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
装置本体と、
除水容器を収容するケーシングを有し、前記装置本体に着脱自在に取り付けられるカセットと、を有する血液浄化装置であって、
前記装置本体には、前記除水容器の荷重を測定する荷重検出部が取り付けられ、
前記カセットに収容された前記除水容器の荷重を前記荷重検出部に伝達する荷重伝達機構を有し、
前記荷重伝達機構は、
前記カセットの前記除水容器を収容する部分の底板に設けられた孔を含み、
前記除水容器が前記荷重検出部の上に載置されること、
を特徴とする血液浄化装置。
【請求項２】
（削除）
【請求項３】
（削除）
【請求項４】
請求項１に記載の血液浄化装置であって、
前記装置本体は、前記荷重検出部が取り付けられるベースを有し、
前記荷重検出部は、前記孔に挿通していること、
を特徴とする血液浄化装置。
【請求項５】
請求項４に記載の血液浄化装置であって、
前記装置本体は、前記カセットを受けるカセット受座を有し、
前記荷重伝達機構は、前記孔と、前記カセットの前記孔に対応する位置の前記カセット受座に設けられた開口と、を含み、
前記荷重検出部は、前記孔と前記開口とに挿通していること、
を特徴とする血液浄化装置。
【請求項６】
請求項１に記載の血液浄化装置であって、
前記装置本体は、前記荷重検出部が取り付けられるベースを有し、
前記荷重伝達機構は、
前記孔と、前記孔に挿通し、前記ベースに取り付けられた前記荷重検出部と前記除水容器の底面との間に挟まれて、前記除水容器を前記カセットの底板から浮かせるスペーサを含み、
前記除水容器は前記スペーサを介して前記荷重検出部の上に載置されること、
を特徴とする血液浄化装置。
【請求項７】
請求項６に記載の血液浄化装置であって、
前記装置本体は、前記カセットを受けるカセット受座を有し、
前記カセット受座は、前記ベースとの間に隙間を空けて取り付けられており、
前記荷重伝達機構は、
前記カセットの前記孔に対応する位置の前記カセット受座に設けられた開口、を更に含み、
前記スペーサは、前記孔と前記開口に挿通し、前記カセットが前記装置本体に取り付けられて前記カセットの底面が前記装置本体の前記カセット受座に接した際に、前記ベースに取り付けられた前記荷重検出部と前記除水容器の底面との間に挟まれて、前記除水容器を前記カセットの底板から浮かせること、
を特徴とする血液浄化装置。
【請求項８】
請求項１に記載の血液浄化装置であって、
前記装置本体は、前記カセットが前記装置本体に取り付けられた際に前記カセットの内部に一部又は全部が入り込むように加熱体が配置されていること、
を特徴とする血液浄化装置。
【請求項９】
請求項１に記載の血液浄化装置であって、
前記装置本体は、前記カセットが前記装置本体に取り付けられた際に前記カセットの近傍に位置するように加熱体が配置されていること、
を特徴とする血液浄化装置。
【請求項１０】
装置本体と、
除水容器を収容するケーシングを有し、前記装置本体に着脱自在に取り付けられるカセットと、を有する血液浄化装置であって、
前記装置本体には、前記除水容器の荷重を測定する荷重検出部が取り付けられ、
前記カセットに収容された前記除水容器の荷重を前記荷重検出部に伝達する荷重伝達機構を有し、
前記荷重伝達機構は、
前記カセットの前記除水容器を収容する部分の天井板に設けられた開口と、
前記除水容器の上部に突出した被係合部と、
前記装置本体に取り付けられた前記荷重検出部に接続され、前記カセットが前記装置本体に取り付けられた際に前記開口を通して前記除水容器の被係合部に係合して前記除水容器を前記カセットの底板から浮かせる係合部と、を含み、
前記除水容器が前記係合部を介して前記荷重検出部から吊り下げられること、
を特徴とする血液浄化装置。
【請求項１１】
（削除）
【請求項１２】
装置本体と、
前記装置本体に着脱自在に取り付けられるカセットと、を有する血液浄化装置であって、
前記カセットは、除水容器とダイアライザと透析液再生カラムとを収容するケーシングを有し、前記装置本体に着脱可能であること、
を特徴とする血液浄化装置。
【請求項１３】
請求項１、及び、請求項４から１０、及び、請求項１２のいずれか１項に記載の血液浄化装置であって、
弾性を有するポンプチューブと、前記ポンプチューブを受けるチューブ受部材と、前記ポンプチューブの一部を前記チューブ受部材に押圧するチューブ押圧体と、前記チューブ押圧体を前記ポンプチューブの長手方向に移動させる駆動部と、を有し、前記ポンプチューブの内部の液体を押し出すポンプ部を含み、
前記カセットは、前記ポンプ部の少なくとも一部を含み、
前記装置本体は、前記ポンプ部の他の一部を含むこと、
を特徴とする血液浄化装置。
【請求項１４】
請求項１３に記載の血液浄化装置であって、
前記カセットは、前記ポンプ部の前記チューブ受部材と前記ポンプチューブとを含み、
前記装置本体は、前記チューブ押圧体と前記駆動部とを含み、
前記チューブ受部材は、前記カセットの前記ケーシングであり、
前記ポンプチューブは前記ケーシングの外面に取り付けられ、
前記チューブ押圧体は、複数のフィンガーであり、
前記カセットは、前記フィンガーと前記ケーシングの外面との間に前記ポンプチューブが位置するように前記装置本体に着脱可能であること、
を特徴とする血液浄化装置。
【請求項１５】
請求項１４に記載の血液浄化装置であって、
前記カセットは、前記ポンプ部の前記チューブ受部材と前記ポンプチューブと、前記チューブ押圧体とを含み、
前記装置本体は、前記駆動部を含み、
前記チューブ押圧体がロータであり、
前記ポンプチューブは、前記ロータの外周に沿った円弧部を含み、
前記チューブ受部材は、前記ポンプチューブの前記外周に沿った円弧部を含むステータであり、
前記カセットは、前記装置本体に取り付けられた際に前記ロータが前記駆動部に係合し、前記装置本体から取り外された際に前記ロータが前記駆動部から分離するように前記装置本体に着脱可能であること、
を特徴とする血液浄化装置。
【国際調査報告】
2020045385.tif 000022
2020045385.tif 000023
2020045385.tif 000024
2020045385.tif 000025